(57)【要約】【課題】  引き引きケーブルと、意匠面と平行な回転軸を持つノブを用いて小型化し、且つ意匠性の高い低価格化したヒーターコントロール装置を提供することを目的とする。【解決手段】  円板状で中心に回転軸２２ａ，２３ａ，２４ａを有するノブ２２，２３，２４と、前記ノブ２２，２３，２４の外周の一部と略同一曲率を有し且つ前記ノブ２２，２３，２４の一部を露出可能とする窓とを有する意匠面２８と、前記ノブ２２，２３，２４の回転軸２２ａ，２３ａ，２４ａを前記意匠面２８と平行に支持可能とする軸受２１ａ，２１ｂ，２１ｃとを有するハウジング２１と、前記ノブ２２，２３，２４の回転軸２２ａ，２３ａ，２４ａに固定され且つ引き引きケーブルの固定部を係止したプーリ２５ｃ，２６ｃ，２７ｃを有する引き引きケーブル組立体２５，２６，２７と、を少なく具備してなるように構成する。【選択図】      図１
2005289088.tif 000002
【特許請求の範囲】
【請求項１】
円板状で中心に回転軸（２２ａ，２３ａ，２４ａ）を有するノブ（２２，２３，２４）と、
前記ノブ（２２，２３，２４）の外周の一部と略同一曲率を有し且つ前記ノブ（２２，２３，２４）の一部を露出可能とする窓とを有する意匠面（２８）と、前記ノブ（２２，２３，２４）の回転軸（２２ａ，２３ａ，２４ａ）を前記意匠面（２８）と平行に支持可能とする軸受（２１ａ，２１ｂ，２１ｃ）とを有するハウジング（２１）と、
前記ノブ（２２，２３，２４）の回転軸（２２ａ，２３ａ，２４ａ）に固定され且つ引き引きケーブルの固定部を係止したプーリ（２５ｃ，２６ｃ，２７ｃ）を有する引き引きケーブル組立体（２５，２６，２７）と、
を少なく具備してなることを特徴とするヒーターコントロール装置。
【請求項２】
前記ノブ（２２，２３，２４）は、モード変換用ノブ（２２）、温度コントロール用ノブ（２３）、及び内外気変換用ノブ（２４）であることを特徴とする請求項１記載のヒーターコントロール装置。
【請求項３】
前記ノブ（２２，２３）の回転によりギヤを介して駆動される表示体（２９，３０）を具備することを特徴とする請求項１記載のヒーターコントロール装置。
【請求項４】
前記表示体（２９，３０）は、モード表示体（２９）及び温度コントロール表示体（３０）であることを特徴とする請求項３記載のヒーターコントロール装置。
【請求項５】
前記ハウジングの意匠面（２８）には前記表示体（２９，３０）の一部を露出し示体可能とする窓が設けられたことを特徴とする請求項１記載のヒーターコントロール装置。
【請求項６】
前記引き引きケーブル組立体（２５，２６）には、プーリ（２５ｃ，２６ｃ）を収容するケース（２５ａ，２６ａ）を具備することを特徴とする請求項１記載のヒーターコントロール装置。
【発明の詳細な説明】
【技術分野】
【０００１】
本発明は、ヒーターコントロール装置に関し、さらに詳しく述べると、自動車に設けられるヒーターを調節するための機械式ヒーターコントロール装置において、ノブから引き引きケーブルによりヒーターの調節部を駆動するようにしたことにより意匠に新規性があり、且つ小型化、低安価化を可能としたヒーターコントロール装置に関する。
【背景技術】
【０００２】
周知の通り、自動車にはヒーターを調節するヒーターコントロール装置が設けられている。従来のヒーターコントロール装置の例として、特開昭６１−０４１６１６号公報や特開２００２−３３９９４２号公報があるが、特開昭６１−０４１６１６号公報は意匠面に対して垂直方向に回転軸をもつノブにより押し引きケーブルを作動させてモード及び温度を切換えている。また、特開２００２−３３９９４２号公報はノブの回転を直線に近い円弧運動にするレバーと、該レバーにより駆動されるケーブルを使用している。
【０００３】
図３はこの特開２００２−３３９９４２号公報に記載されたヒーターコントロール装置を示す図で、（ａ）図は正面図、（ｂ）図は背面図である。（ａ）図において、符号１はケース、２はその意匠面、３はノブである。また（ｂ）図において符号４はノブを支持する回転軸、５はレバー、６はレバーを支持する軸、７は一端をレバーに係止した押し引きケーブル、８は該押し引きケーブルを案内する外套、９は外套をクランプするクランプ座である。そして、ノブ３の回転をギヤを介してレバー５の揺動に変換し、押し引きケーブル７をほぼ直線に近い円弧状に駆動するようになっている。
【０００４】
これは、ノブ３の回転を直線に近い円弧運動にするためのレバー５と、ケーブル７の外套８をクランプするクランプ座９が必要であり、構造が複雑になる。
また、ノブは操作力が大きくならないように且つケーブルストロークを確保するため、操作角は約２７０°が必要であり、ノブの径は約５０ｍｍ必要する。またノブ間の隙間は操作上１７ｍｍ以上必要であり、且つシンボルのネームシートを考慮するとケースの幅寸法が２００ｍｍ以上となり大型化してしまうという問題がある。そこで、意匠面に平行な軸を持つダイヤル式が考えられている。
【０００５】
意匠面に平行な軸を持つダイヤル式としては、図４（ａ）に示す特開平１０−１３３７６０号公報や、図４（ｂ）に示す特開平１１−３０５８６１号公報があるが、これらは何れも電気式であり、ダイヤル１０を回動することよりスイッチ１１をオン・オフするようになっている。このようなダイヤル式をヒーターコントロール装置に用いると、電気式であるためヒーターユニット側にモータが必要となり、高価になるという問題がある。
【特許文献１】特開昭６１−０４１６1６号公報
【特許文献２】特開２００２−３３９９４２号公報
【特許文献３】特開平１０−１３３７６０号公報
【特許文献４】特開平１１−３０５８６１号公報
【発明の開示】
【発明が解決しようとする課題】
【０００６】
本発明は、上記のような従来の技術の問題点を解決することを目的とする。
本発明の目的は、引き引きケーブルと、意匠面と平行な回転軸を持つノブを用いて小型化し、且つ意匠性の高い低価格化したヒーターコントロール装置を提供することにある。
本発明の上記したような目的やその他の目的は、以下の詳細な説明から容易に理解することができるであろう。
【課題を解決するための手段】
【０００７】
本発明の請求項１は、円板状で中心に回転軸２２ａ，２３ａ，２４ａを有するノブ２２，２３，２４と、前記ノブ２２，２３，２４の外周の一部と略同一曲率を有し且つ前記ノブ２２，２３，２４の一部を露出可能とする窓とを有する意匠面２８と、前記ノブ２２，２３，２４の回転軸２２ａ，２３ａ，２４ａを前記意匠面２８と平行に支持可能とする軸受２１ａ，２１ｂ，２１ｃとを有するハウジング２１と、前記ノブ２２，２３，２４の回転軸２２ａ，２３ａ，２４ａに固定され且つ引き引きケーブルの固定部を係止したプーリ２５ｃ，２６ｃ，２７ｃを有する引き引きケーブル組立体２５，２６，２７と、を少なく具備してなることを特徴とする。
【０００８】
また、請求項２は、前記ノブ２２，２３，２４は、モード変換用ノブ２２、温度コントロール用ノブ２３、及び内外気変換用ノブ２４であることを特徴とする。また、請求項３は、前記ノブ２２，２３の回転によりギヤを介して駆動される表示体２９，３０を具備することを特徴とする。また、請求項４は、前記表示体２９，３０は、モード表示体２９及び温度コントロール表示体３０であることを特徴とする。また、請求項５は、前記ハウジングの意匠面２８には前記表示体２９，３０の一部を露出し示体可能とする窓が設けられたことを特徴とする。また、請求項６は、前記引き引きケーブル組立体２５，２６には、プーリ２５ｃ，２６ｃを収容するケース２５ａ，２６ａを具備することを特徴とする。
【発明の効果】
【０００９】
本発明によれば、以下の詳細な説明から理解されるように、引き引きケーブルと、意匠面と平行な回転軸を持つノブを用いたことにより、小型化、低価格化が可能になり、また意匠性も優れたヒーターコントロール装置が得られる。
【発明を実施するための最良の形態】
【００１０】
引き続いて、本発明をその実施例を参照して説明する。なお、本発明は、これらの実施例によって限定されるものでないことは言うまでもない。
図１及び図２は本発明のヒーターコントロール装置の実施例を示す図で、図１（ａ）は正面図、図１（ｂ）は図１（ａ）のｂ―ｂ線における断面図、図１（ｃ）は図１（ａ）のｃ―ｃ線における断面図、図２は分解斜視図である。
【００１１】
本実施例は両図に示すように、クラスター等のパネル２０に取り付けられるヒーターコントロールのハウジング２１と、モード変換用ノブ２２、温度コントロール用ノブ２３、内外気変換用ノブ２４、モード変換用引き引きケーブル組立体２５温度コントロール用引き引きケーブル組立体２６、及び内外気変換用引き引きケーブル組立体２７等を具備して構成されている。
【００１２】
そして、前記モード変換用ノブ２２、温度コントロール用ノブ２３、及び内外気変換用ノブ２４は同一直径の円板状をなし、その中心にそれぞれ回転軸２２ａ，２３ａ，２４ａを有している。
【００１３】
また、前記ハウジング２１は、図１（ａ）に示すように、その表面が意匠面２８となっており、該意匠面２８は各ノブ２２，２３，２４の外周の一部とほぼ同一の曲率を有する曲面をなし、その意匠面に各ノブ２２，２３，２４を露出させる窓及び各ノブに対するそれぞれ必要なシンボルが形成されている。また該ハウジング２１の後部の箱状部には各ノブの軸を支持する軸受２１ａ，２１ｂ，２１ｃが設けられている。
【００１４】
また、前記モード変換用ノブ２２は、その回転軸２２ａの一方端をハウジング２１に設けられた軸受２１ａに回転可能に支持され、他方を温度コントロールノブ２３の軸２３ａに穿設された貫通孔を挿通しモード変換用引き引きケーブル組立体２５のケース２５ａに設けられた軸受２５ｂに回転可能に支持され、更に先端に図示なき引き引きケーブルが巻回されるプーリ２５ｃが固定されている。なお、モード変換用ノブ２２の軸２２ａにはモード表示体２９を回転駆動するためのギヤ２２ｂが形成されている。また、モード表示体２９はモード変換用ノブ２２の回転軸２２ａに回動可能に支持され、該ノブ２２の回転により前記ギヤ２２ｂ及び図示なき中間ギヤを介して回転駆動されるようになっている。
【００１５】
また温度コントロールノブ２３はその回転軸２３ａに貫通孔が穿設され、該孔によりモード変換用ノブ２２の軸２２ａに回転可能に支持され、その一端を温度コントロール引き引きケーブル組立体２６のケース２６ａに設けられた軸受２６ｂに回転可能に支持され、更に先端に温度コントロール引き引きケーブル組立体２６のプーリ２６ｃが固定されている。また、該温度コントロールノブ２３の回転軸２３ａには温度コントロール表示体３０を回転駆動するためのギヤ２３ｂが形成されている。また、温度コントロール表示体３０は温度コントロールノブ２３の回転軸２３ａに回転可能に支持され、温度コントロールノブ２３の回転により前記ギヤ２３ｂ及び図示なき中間ギヤを介して回転駆動されるようになっている。
【００１６】
また内外気変換用ノブ２４はその回転軸２４ａの一方端をハウジング２１に設けられた軸受２１ｂに、他方端を軸受２１ｃにそれぞれ回転可能に支持され、先端は内外気変換用引き引きケーブル組立体２７のプーリ２７ｃを固定している。
また、前記モード変換用引き引きケーブル組立体２５、温度コントロール用引き引きケーブル組立２６、及び内外気変換用引き引きケーブル組立体２７はそれぞれ図示なき引き引きケ−ブルを巻回するプーリ２５ｃ，２６ｃ，２７ｃと、該プーリ２５ｃ，２６ｃ，２７ｃを収容するケース２５ｂ，２６ｂ，２７ｂとよりなり、該ケース２５ｂ，２６ｂ，２７ｂはそれぞれハウジング２１に固定される。
【００１７】
このように構成された本実施例は、各ノブ２２，２３，２４を回動させることにより夫々に固定されている引き引きケーブル組立体２５，２６，２７のプーリ２５ｃ，２６ｃ，２７ｃを回動し夫々の引き引きケーブルを操作して所要の変換又はコントロールをすることができる。
【００１８】
また、このように構成された本実施例は、円板状のノブが意匠面に対して垂直であるため,従来の意匠面に対して平行に回転するノブの如く、ノブとノブとの間に指が通らないため、ノブとノブとの間隔を、従来必要であった約１７ｍｍを狭くすることが可能となり、ハウジングの幅寸法を２００ｍｍ以下に小型化することができる。また、図３で説明した従来例の如く、押し引きケーブルの直線駆動用のレバーやクランプ座を必要とせず、構造が簡単となるため低価格化が実現される。
【００１９】
以上、本発明を特にその最良の形態について説明した。最後のまとめとして、本発明の構成及びそのバリエーションを以下に付記として列挙する。
モード表示体および温度コントロール表示体はノブと一体化してもよい。また、モード変換用ノブと温度コントロール用ノブとは同軸２連でなくともよい。また、本実施例は横向きであるが、縦向きとしても良い。
【図面の簡単な説明】
【００２０】
【図１】本発明のヒーターコントロール装置の実施例を示す図で、（ａ）は正面図、（ｂ）は（ａ）図のｂ−ｂ線における断面図、（ｃ）は（ａ）図のｃ−ｃ線における断面図である。
【図２】本発明のヒーターコントロール装置の実施例の分解斜視図である。
【図３】従来のヒーターコントロール装置の１例を示す図で、（ａ）は正面図、（ｂ）は背面図である。
【図４】従来のダイヤル式ノブを有するヒーターコントロール装置の２例を示す断面図である。
【符号の説明】
【００２１】
２０…パネル
２１…ハウジング
２２…モード変換用ノブ
２３…温度コントロール用ノブ
２４…内外気変換用ノブ
２５…モード変換用引き引きケーブル組立体
２６…温度コントロール用引き引きケーブル組立体
２７…内外気変換用引き引きケーブル組立体
２８…意匠面
２９…モード表示体
３０…温度コントロール表示体
【図１】
2005289088.tif 000003
【図２】
2005289088.tif 000004
【図３】
2005289088.tif 000005
【図４】
2005289088.tif 000006